Podtech/llm-jp-corpus-v4-ja_patent huggingface dataset:
(57)【要約】      （修正有）【課題】電気機器製品のリモコンを外環境からの汚染、傷つき、破損から防止する薄膜式リモコンカバーを提供する。【解決手段】リモコンカバーを構成する素材は生ゴムのような伸縮性に富み、且つ又透明または半透明なる特性を持ち、該リモコンの形状に合わせた大きさで、リモコンカバーの挿入口部分は皮膜部分よりは強度があり、被覆後リモコン本体を完全カバーする。【選択図】図２
0003164545.tif 000002
【実用新案登録請求の範囲】
【請求項１】
リモコンカバーを構成する素材は生ゴムのような伸縮性に富み、且つ又透明または半透明なる特性を持ち、該リモコンの形状に合わせた大きさで、該リモコンカバーの挿入口部分は当該皮膜部分よりは強度があり、被覆後リモコン本体を完全カバーする薄膜被覆式リモコンカバー。
【考案の詳細な説明】
【技術分野】
【０００１】  本考案は各種電気機器のリモコンを伸縮性のある透明の皮膜で覆い、リモコン本体を外環境の汚染から防御しようとする薄膜被覆式リモコンカバーである。
【背景技術】
【０００２】  従来、市販の家電製品のリモコンにはリモコン本体を外環境の汚染から防御すべきカバーはなく、リモコンの使用者は購入後リモコンを外環境の汚染から防止しようと、リモコン本体を市販のサランラップやビニルで覆い使用していた。
【特許文献】
【考案が解決しようとする課題】
【０００３】  そのために、次のような問題点があった。
（イ）  リモコン本体の美観をそこね、リモコンボタンも見づらく操作しにくい。
本考案は以上の問題点を解決しようとするものである。
【課題を解決するための手段】
【０００４】  リモコンカバーを構成する素材は生ゴムのような伸縮性に富み、且つ又透明または半透明なる特性を持ち、該リモコンの形状に合わせた大きさで、該リモコンカバーの挿入口部分は当該皮膜部分よりは強度があり、被覆後リモコン本体を完全カバーする薄膜被覆式リモコンカバー。
リモコン本体を透明または半透明で伸縮性のある薄膜カバーで覆い、リモコン本体の美観も損ねずリモコンボタンも見やすく操作しやすい薄膜被覆式リモコンカバーである。
【考案の効果】
【０００５】  本考案はリモコンの美観を損ねず、また外環境かちの汚染を防止し使用者のリモコンボタン操作を楽にするものである。
【考案を実施するための最良の形態】
【０００６】以下、本考案の実施の形態を説明する。
（イ）透明または半透明な被覆部（１）とリモコン挿入口（２）。リモコン本体（３）本考案は以上のような構造で、これを使用するときはリモコン本体（３）を挿入口（２）より挿入し、リモコン体部を被覆部（１）で覆っていく。挿入口（２）は被覆部（１）より強度が強くかつ伸縮性もあるのでリモコン（３）全体を覆ったあとは小さくしぼみ景観を良くする。
本考案は以上のような構造で、これを使用するときは挿入口（２）を被覆部（１）上部に向かって捲くり、リモコン本体をリモコン上部より包み込むように捲くった挿入口（２）をリモコン本体の下部に向かって戻してくればよい。いわばリモコンのコンドームである。
【図面の簡単な説明】
【０００７】
【図１】本考案の斜視図
【図２】本考案の使用状態を示す斜視図
【符号の説明】
【０００８】  １  被覆部
２  挿入口
３  リモコン本体
【図１】
0003164545.tif 000003
【図２】
0003164545.tif 000004
【手続補正書】
【提出日】平成22年9月8日(2010.9.8)
【手続補正１】
【補正対象書類名】明細書
【補正対象項目名】０００２
【補正方法】変更
【補正の内容】
【０００２】  従来、市販の家電製品のリモコンにはリモコン本体を外環境の汚染から防御すべきカバーはなく、リモコンの使用者は購入後リモコンを外環境の汚染から防止しようと、リモコン本体を市販のサランラップ（登録商標）やビニルで覆い使用していた。
【手続補正２】
【補正対象書類名】実用新案登録請求の範囲
【補正対象項目名】全文
【補正方法】変更
【補正の内容】
【実用新案登録請求の範囲】
【請求項１】
リモコンカバーを構成する被膜素材は生ゴムのような伸縮性に富み、且つ又透明または半透明なる特性を持ち、リモコンの形状に合わせた大きさで、リモコンカバーの挿入口部分はリモコン体部を覆う被膜部分よりは強度があり、被覆後リモコン本体を完全カバーする薄膜被覆式リモコンカバー。
(57)【要約】      （修正有）【課題】小水力の利用普及を図るため、小水力発電装置を身近に展示運用し、システムや構造の理解を深める小水力発電装置を提供する。【解決手段】場所や水源に関係なく身近に小水力発電の展示運用をするため、水車１と増速装置２と発電機３を一体化し、下部に水源用水槽プール８と水中ポンプ１０を装備した循環水流式とし、水車回転による飛散水は左右側面に設置する飛散防止パネルで防止する構造とし、発電制御装置と照明器具１６を組み入れた一体型小水力発電装置とする。【選択図】図１
0003164549.tif 000002
【実用新案登録請求の範囲】
【請求項１】
水車と増速装置と発電機を一体化した小水力発電機構に、水源用水槽プールと水中ポンプを組み入れ、発電制御装置と照明器具を備えた一体型を特徴とする展示用水力発電装置。
【請求項２】
場所を問わず展示運用とするため、容易に運搬設置が出来るよう、簡単に分離組立が出来る組立式の請求項１に記載の小水力発電装置。
【請求項３】
水車運用の水源は、水中ポンプによる循環水流式であり、水源用水槽プールを装備する請求項１に記載の小水力発電装置。
【請求項４】
水流により水車が回転した時に生じる水車周りの飛散水は、左右側面に装備する飛散水防止パネルにより防止する飛散水防止機能付きの請求項１に記載の小水力発電装置。
【考案の詳細な説明】
【技術分野】
【０００１】
クリーンエネルギーとしての小水力利用を進める上で、本考案は小水力発電装置のモデル機として身近に展示運用する事により、システムや構造の理解が図られ小水力発電の普及に貢献する小水力発電装置に関するものである。
【背景技術】
【０００２】
従来の水車は、製粉や灌漑目的で農地や里山などで運用されてきたが、身近な小水力発電水車については、発電装置のシステムや構造に不慣れな為にあまり普及していないのが実情である。唯、水力発電については例えば可搬式のもの（例えば特許文献１参照）や携帯型のもの（例えば特許文献２参照）があるが、これらは小水力発電には不向きである。
【先行技術文献】
【特許文献】
【０００３】
【特許文献１】特開平８−９３６２４
【特許文献２】特開２００５−３３０９１９
【考案の概要】
【考案が解決しようとする課題】
【０００４】
従来型木製の水車技術は、農村や里山では古くから利用されているが、その技術を小水力発電に利用し、システムや構造の理解が図られる小水力発電装置を提供することを目的とする。
【課題を解決するための手段】
【０００５】
本考案は、基本的に請求項１に対応する一体型小水力発電装置であり、請求項２は、容易に運搬設置が可能な分解組立式小水力発電装置であり、また本考案は請求項３に記載の水源水槽プールを装備し水中ポンプによる循環水を利用する循環水流式であり、請求項４は、水車が回転した時に生じる飛散水を左右側面に設置にする飛散防止パネルにより飛散水を防止する飛散防止機能を装備する装置である。
【０００６】
本考案の展示運用は、必要とする場所に組み立て設置し、水槽プールに水中ポンプのポンプ部が隠れる（水深８cm以上）程度の水を入れる。次に水中ポンプの電源スイッチを入れると水流が発生し水車が回転する。回転する水車は増速装置で連結された発電機が回転し発電が始まる。発電された電力は装備した制御装置により、直流１２ｖおよび交流１００Ｖに変換され、それぞれのスイッチ操作によりそれぞれの照明が点灯する具体的なシステム・構造が解り易い装置である。
【考案の効果】
【０００７】
前項の作用で実際に運用し、身近に水力発電装置を体験することによりシステムや構造の理解が進み、自分達でも造る技術を構築する事により、地域に根差した小水力発電装置の製作や普及に発展する効果が生まれる。
【図面の簡単な説明】
【０００８】
【図１】本考案による小水力発電装置の一実施例を示す図面
【図２】図１の左側面を示す図面
【実施例】
【０００９】
以下本考案の一実施例について図１、図２を参照して説明する。図１は水車側面の一部を切欠して内部構造を示した小水力発電装置の構成例を示す図である。図２は図１の左側面図である。図１において、水車中心に回転軸を固定した水車本体1は、左右軸受け5により、架台4に取り付けられている。回転軸に取り付けられた増速装置2は発電機3に連結一体化されている。
【００１０】
架台4の下部に、水溜め用水槽プール8を配置し、制御装置15の水中ポンプの電源スイッチONにより、水中ポンプ10に通電作動し、配管パイプ11を通って放水口12より水が排出され水車1が回転し発電する。
【００１１】
水車1が回転すると遠心力で水が飛散するが、図２の飛散防止パネル13により飛散を防止し、水槽プール8に戻る循環とする。
【００１２】
水車1の回転により、増速装置2を経由して発電機3が回転し発電する。発電した電力は制御装置15に送られ、ブレーカー及び電気制御により直流12V及び交流100Vに変換され、コンセントスイッチによりそれぞれの照明器16が点灯する。
【産業上の利用可能性】
【００１３】
クリーンエネルギーの利用促進事業やエコエネルギーイベントでのモデル機としての展示運用や、学校における教材として活用する。
【符号の説明】
【００１４】
１  水車
２  増速プーリー・ベルト
３  発電機
４  架台
５  軸受け
６  軸受けカバー
７  発電機構軸受けカバー
８  水槽プール
９  配管樋
10  水中ポンプ
11  配管パイプ
12  放水口
13  飛散防止パネル（左右）
14  車輪
15  発電制御装置
16  照明器具
【図１】
0003164549.tif 000003
【図２】
0003164549.tif 000004
【手続補正書】
【提出日】平成22年10月7日(2010.10.7)
【手続補正１】
【補正対象書類名】実用新案登録請求の範囲
【補正対象項目名】全文
【補正方法】変更
【補正の内容】
【実用新案登録請求の範囲】
【請求項１】
水車１と増速プーリー・Ｖベルト２及び発電機３を取り付けた架台４に装着した水槽プール８に適度の水を入れ、水槽プール８内に置かれた水中ポンプ10の稼動により水槽プール８の水が吸い上げられ、水流は配管パイプ11により配管樋９を通り放水口12より放水され水車が回転し発電する一体型の小水力発電装置。
【請求項２】
請求項１の小水力発電装置に飛散防止パネル13を装着し、水車回転時に発生する飛散水の飛散を防止し、飛散水を水槽プール８に還元する装置。
(57)【要約】      （修正有）【課題】玄米袋をクランプ部で着脱自在につかんで搬送することで労動的負担を軽減することができるクレーンやホイスト用のつかみ取り吊り具を提供する。【解決手段】玄米袋のつかみ取り吊り具本体１の対向するクランプ部の中心のピン２を中心として左右の本体が交差し吊り上げ部４を上げると対向したクランプ部３が閉じ吊り上げ部４を下げると対向したクランプ部３が開く構造にした。対向したクランプ部３を玄米袋の楕円形の側面に合う形に成形したことで安全に玄米袋をクレーンやホイストでナイロンスリリング５を使って吊り上げ部４を上下に動かすことにより玄米袋を着脱自在につかんで搬送することで労動的負担の軽減に役立つ。【選択図】図２
0003164547.tif 000002
【実用新案登録請求の範囲】
【請求項１】
クレーンやホイストで吊り下げて玄米袋をクランプ部で着脱自在につかんで搬送するようにした玄米袋のつかみ取り吊り具対向したクランプ本体のクランプ部を玄米袋の楕円形の側面に合う形に曲げて玄米袋の落下防止のために形成したことを特徴とする玄米袋のつかみ取り吊り具。
【考案の詳細な説明】
【技術分野】
【０００１】本考案は、玄米袋のつかみ取り吊り具に関するものである。
【背景技術】
【０００２】玄米袋を人力により手で持ち上げて搬送していた。
【考案の概要】
【考案が解決しようとする課題】
【０００３】玄米袋を人力により手で持ち上げて搬送していては労動的負担である。従って、玄米袋のつかみ取り吊り具を使って前述の欠点を解決しようとするものである。
【課題を解決するための手段】
【０００４】クレーンやホイストで吊り下げ玄米袋をクランプ部で着脱自在につかんで搬送することにより問題点を解決している。
【考案の効果】
【０００５】上述の様に、本考案の玄米袋のつかみ取り吊り具を使うことにより労動的負担を軽減することができる。
【図面の簡単な説明】
【０００６】
【図１】本考案の玄米袋のつかみ取り吊り具の実施例を示す正面図である。つかみ取る前
【図２】つかみ取り
【図３】上から見た吊り具
【図４】横から見た吊り具
【考案を実施するための形態】
【０００７】クレーンやホイストを使って吊り下げ部分を上下することによりクランプ本体の交わるピンを中心に対向したクランプ本体のクランプ部が開閉し玄米袋をクランプ部で着脱自在につかんで搬送できる。
対向したクランプ本体のクランプ部を玄米袋の楕円形の側面に合う形に曲げて玄米袋の落下防止のために形成した。
【実施例】
【０００８】以下添付図面に従って実施例を説明する。
１は鉄又はステンレス又はアルミなど耐久性のある適合素材にて加工形成された玄米袋のつかみ取り吊り具本体  ２はピン  ３は対向したクランプ本体のクランプ部で玄米袋の楕円形の側面に合う形に成形した。４は吊り上げ部分  ５は吊り上げ用ナイロンスリリング。
【符号の説明】
【０００９】１  玄米袋のつかみ取り吊り具本体
２  ピン
３  クランプ
４  吊り上げ部分
５  吊り上げ用ナイロンスリリング
【図１】
0003164547.tif 000003
【図２】
0003164547.tif 000004
【図３】
0003164547.tif 000005
【図４】
0003164547.tif 000006
【手続補正書】
【提出日】平成22年9月24日(2010.9.24)
【手続補正１】
【補正対象書類名】実用新案登録請求の範囲
【補正対象項目名】全文
【補正方法】変更
【補正の内容】
【実用新案登録請求の範囲】
【請求項１】
クレーンヤホイストで吊り下げて玄米袋をクランプ部で着脱自在につかんで搬送するようにした玄米袋のつかみ取り吊り具において、対向したクランプ本体のクランプ部を玄米袋の楕円形の側面にあう形に曲げて玄米袋の落下防止のために形成したことを特徴とする玄米袋のつかみ取り吊り具。
(57)【要約】      （修正有）【課題】作業性が良く、品質保持力の安定したマットを提供する。【解決手段】表裏又は片面を補強することによって解決することを特徴とする。補強処置は弾性性能を変化させない事が好ましい。位置ずれ防止の為、摩擦力、保持力を備えた表面性能を持っている事が望ましい。補強方法としては、表裏又は片面の表面部を強化改質するかもしくは表裏又は片面に強化フィルム又はシートを貼付する。位置ずれ防止の為の、摩擦力、保持力強化は接触対象面に表面処理を施す。【選択図】図１
0003164531.tif 000002
【実用新案登録請求の範囲】
【請求項１】
板状の弾性材料の表裏又は片面に補強または機能付加を目的として表面処理を施した事を特徴とする衝撃吸収マット
【考案の詳細な説明】
【考案の詳細な説明】
【産業上の利用分野】
【０００１】  本考案は例えば、段ボール、板紙又は樹脂フィルムの打抜き加工工程において、打抜機に装着するプレート（面板とも呼ぶ）とその上に装着する薄板カッティングプレートの間に挿入して使用する衝撃吸収マットに関するものである。
【背景技術】
【０００２】  従来品のマットは一層構造の弾性シート（マット）を使用することが一般的である。【０００３】  従来品のマット又はシートは、柔らかいがためにそのマット又はシートを平坦且つ位置ずれを生じさせ無いで敷く事は手間を要し、又品質保持力にばらつき有るのが実情である。【０００４】  上記から現状は、敷く作業性と品質保持力に問題を抱えている。
【考案が解決しようとする課題】
【０００５】  上記両説明でも明らかなように、上記公知の作業性、品質保持力の問題を解決することにある。
【０００６】  本考案は、上記の問題点を解決するためになされたもので、作業性が良く、品質保持力の安定したマットを提供することが目的である。
【課題を解決するための手段】
【０００７】  上記課題を解決するために、本考案は表裏又は片面を補強することによって解決することを特徴とする。
【０００８】  補強処置は弾性性能を変化させない事が好ましい。
【０００９】  位置ずれ防止の為、摩擦力、保持力を備えた表面性能を持っている事が望ましい。
【００１０】  補強方法としては、表裏又は片面の表面部を強化改質するかもしくは表裏又は片面に強化フィルム又はシートを貼付する
【００１１】  位置ずれ防止の為の、摩擦力、保持力強化は接触対象面に表面処理を施す。
【作用】
【００１２】  平坦度の強化は表裏又は片面を補強することにより曲がりにくさが増大し可能となる。
【００１３】  位置合わせは、摩擦力、保持力を付加した表面処理をすることにより、外力による位置ずれの防止が図れる。
【００１４】  マット品質保持促進は、表面強度を補強することにより、外力が繰り返し加わることによって発生する劣化、退化の進行を遅らせる事が可能となる。
【考案の効果】
【００１５】  平坦度の保持力が増したこと、固着能力が強化されたことから敷き及び位置合わせ作業が容易になり作業時間の短縮が図れる。
【００１６】  表面強度が補強されたことから、外力の平均化が促進され、マットの部分劣化、退化を遅らすことが出来、品質保持期間の長期化＝耐久力の向上が図れる。
【実施例】
【００１７】  本考案のマットを図を参照しながら説明する。【００１８】  図１は表裏に補強用のフィルムを貼付した状態を示している。
【図面の簡単な説明】
【００１９】
【図１】板状の弾性材料をフィルムで挟み込んだ状態を示している。
【符号の説明】
【００２０】▲１▼補強フィルム
▲２▼弾性材料
▲３▼摩擦力、保持力強化処理面
【図１】
0003164531.tif 000003
【手続補正書】
【提出日】平成22年9月15日(2010.9.15)
【手続補正１】
【補正対象書類名】実用新案登録請求の範囲
【補正対象項目名】全文
【補正方法】変更
【補正の内容】
【実用新案登録請求の範囲】
【請求項１】
板状の弾性材料の表裏又は片面に補強または機能付加を目的として強化フィルム又はシートを貼付した事を特徴とする衝撃吸収マット
(57)【要約】      （修正有）【課題】窓際に窓枠の大きさに応じて容易に取り付け、取り外しできて、上下に移動できる竿を設けて、物干しや外気の取入れをするようにした窓際上下移動竿を提供する。【解決手段】伸縮自在な竿１の両端に直角の継ぎ手３を設け、継ぎ手３から伸びる伸縮自在な竿からなるアーム２を設け、アーム２の先端に吸盤４を取り付けて窓際の壁に吸着によって取り付くようにし、継ぎ手３に長さ調節可能な吊り紐５を取り付けて、吊り紐５の先端にフック６を設けて、フック６をカーテンレールに引っ掛けるようにした窓際上下移動竿１であって、吸盤４によって、窓際上下移動竿１が壁に着脱自在となっていることから、窓際を上下移動して窓際上下移動竿１を上部に取り付けた時は物干し竿として、下部に取り付けた時はカーテンの裾を広げて窓枠との間を空けて外気の取入れ口として用いるものである。【選択図】図１
0003164539.tif 000002
【実用新案登録請求の範囲】
【請求項１】
伸縮自在な竿１の両端に直角の継ぎ手３を取付け、継ぎ手３から伸びる伸縮自在のアーム２を取付け、アーム２の端に吸盤４を取付けた。継ぎ手３部分に長さ調整可能な吊り紐５を取付け、吊り紐５の先端にカーテンレール７に取付けるためのフック６を設けて、吸盤４と吊り紐５とによって窓際を上下移動して所定の高さで設置できるようにした窓際上下移動竿。
【考案の詳細な説明】
【技術分野】
【０００１】  本考案は、窓部に上下移動可能な竿を設けて、上部に設置したときは物干し竿として、下部に設置したときは外気取入口として用いた竿に関するものである。
【背景技術】
【０００２】  従来、窓際に物干し竿を設けたものはあるが、しかし、窓際カーテンレールなどを利用して固定することから、上下に移動可能な竿はなかった。【０００３】  上下に容易に移動できないことから、高さ調整が困難であるので、物干し竿としてのみの使用にしか用いることが出来なといった問題点があった。
【先行技術文献】
【特許文献】
【０００４】
【特許文献１】  特開平８−２９９６９４号
【非特許文献】
【０００５】
【非特許文献１】  なし
【考案の概要】
【考案が解決しようとする課題】
【０００６】  本考案は上記問題点を解消するために、物干し竿を窓際で簡単に着脱自在として上下に移動できるようにして、窓の上部に設置した時は物干し竿として使用し、窓の下部に設置した時は、窓を開けてプライバシーの保護の為にカーテンを閉じるとカーテンによって室内への外気の流入が少なくなることから、カーテンの裾を広げて外気を室内に取り入れるように使用することを目的としている。
【課題を解決するための手段】
【０００７】  上記目的を達成するために、本考案は窓に向かって横方向に長さ調整ができる竿（パイプ）から成り、横方向の竿の両端から継ぎ手を介して直角方向に伸びる前後方向の竿を取付け、左右の前後方向の竿の他端には吸盤を取付けて、吸盤による取付け、取外しによって竿が窓際を上下方向に移動して設置できるようにした窓際上下移動竿である。【０００８】  また、継ぎ手部分に長さを調整できる吊り紐を取付けて、吊り紐の先端にフックを取付けて、フックをカーテンレールに引っ掛けることによって窓際上下移動竿を壁に強く設置できるようにした。
【考案の効果】
【０００９】  本考案は窓の大きさに対応して容易に竿の長さを変えられ、かつ着脱自在な物干し竿を取り付けることができるので、室内に物干し場を容易に設けることができる。
また、カーテンを閉じた状態で、カーテンの裾を広げて空けることによって、外気の新鮮な空気を室内に取り入れることができるなどの効果を奏するものである。
【図面の簡単な説明】
【００１０】
【図１】  窓際上下移動竿の構造を示した断面図である。
【図２】  窓際上下移動竿を上方に設置して物干し竿とした斜視図である。
【図３】  窓際上下移動竿を下方に設置してカーテン裾を広げて空けた状態を示した斜視図である。
【考案を実施するための形態】
【００１１】
【実施例】
【００１２】  図１に示すように、窓際上下移動竿は伸縮自在となって長さを調整できる横方向の軽量パイプからなる竿１と横方向竿の両端に直角の継ぎ手３を取り付け、継ぎ手３から直角方向に伸びる伸縮自在な軽量パイプからなるアーム２を取り付け、アーム２の他端に壁に着脱可能な吸盤４を設けた。【００１３】  そして、継ぎ手３に長さ調整が出来る吊り紐５またはチェーンを取り付け、吊り紐５またはチェーンの先端にはフック６を取り付けた構造からなる。【００１４】  なお、継ぎ手３は持ち運びや保管を容易にする為にアーム２を折畳むことができる継ぎ手３としたり、軽量で安価な継ぎ手であるエルボなどが用いられる。【００１５】  図２に示すように、窓際上下移動竿１を窓際の上部に設置するには、窓際の上部の壁に吸盤４によって取り付け、窓際上下移動竿１の継ぎ手３部分に吊り紐５を取付けて吊り紐５の長さを調整した後、吊り紐５の先端のフック６をカーテンレール７に引っ掛けて窓際上下移動竿１を吊るすように支えることにより設置する。【００１６】  窓際上下移動竿１にハンガーを吊るして衣類を乾燥する物干し竿として使用する。【００１７】  図３に示すように、窓枠の下部に窓際上下移動竿１を取付ける時は上部に設置した窓際上下移動竿１の吸盤４を壁から外し、吊り紐５の先端のフック６をカーテンレール７から取外し、窓際上下移動竿１を窓枠の下方に移動させて壁に吸盤４によって取り付け、継ぎ手３に取付けている吊り紐５の長さを調整して先端のフック６をカーテンレール７に引っ掛けて窓際上下移動竿１を窓枠の下部に設置する。【００１８】  カーテン８の裾が広がり窓枠と裾との間に空間が出来るように窓際上下移動竿１に沿ってカーテン８を閉じると、カーテン８の裾に出来た空間に取込まれた外気がカーテン８の下方を通って室内に導入される。
【産業上の利用可能性】
【００１９】  窓際に簡単に竿をとりつけることができることによって、室内で干し物を乾燥させることができ、外気や自然の風を取り入れることによって、夏場エアコンを使うことを少なくすることができ、省エネルギー効果が高まることから、今後家庭で用いられることが多いと認められる。
【符号の説明】
【００２０】１    窓際上下移動竿
２    アーム
３    継ぎ手
４    吸盤
５    吊り紐
６    フック
７    カーテンレール
８    カーテン
【図１】
0003164539.tif 000003
【図２】
0003164539.tif 000004
【図３】
0003164539.tif 000005
【手続補正書】
【提出日】平成22年9月10日(2010.9.10)
【手続補正１】
【補正対象書類名】実用新案登録請求の範囲
【補正対象項目名】全文
【補正方法】変更
【補正の内容】
【実用新案登録請求の範囲】
【請求項１】
伸縮自在な竿（１）の両端に直角の継ぎ手（３）を取付け、継ぎ手（３）から伸びる伸縮自在のアーム（２）を取付け、アーム（２）の端に吸盤（４）を取付けて、継ぎ手（３）部分に長さ調整可能な吊り紐（５）を取付け、吊り紐（５）の先端にカーテンレール（７）に取付けるためのフック（６）を設け、吸盤（４）と吊り紐（５）とによって窓際を上下移動して所定の高さで設置できるようにした窓際上下移動竿。
(57)【要約】      （修正有）【課題】繰り返しの使用に対する強度、設置片付け作業の簡易性、軽量である事、保管上のコンパクト性を満たした折り畳み机を提供する。【解決手段】プラスチックで凹形に成型した天板１の内側に金属フレーム３を収まるように作成し、脚２をフレームの内側に９０度に回転するよう軸着し、フレームと脚それぞれの筋交に取り付けた頬杖４も折り畳み時にフレームより薄くなるように作成する。さらに、天板の中に金属フレームを接着等により固着することで、天板の中に、全体を折り畳み状態で収納出来るようにして折り畳み机を構成する。【選択図】図１
0003164537.tif 000002
【実用新案登録請求の範囲】
【請求項１】
プラスチックでつくった天板の内側に金属フレームを設置固定することにより、天板の中に金属フレーム全体を折り畳み状態で収納出来る事を特徴とする折り畳み机。
【請求項２】
プラスチック天板の熱膨張による変形を抑える取り付け構造。
【考案の詳細な説明】
【技術分野】
【０００１】  この考案はイベント、会議等で使われる折り畳み机の構造に関する。
【背景技術】
【０００２】  従来の折り畳み机は、天板が木材であり、図２のように天板の下にフレームが取り付けられており、更にフレームの下に脚が取り付けてある状態が一般的である。
【考案の開示】
【考案が解決しようとする課題】
【０００３】  しかし図２に示した構造では天板とフレームと脚が３重になり、保管する際に、多くのスペースを必要とする。【０００４】  また天板が木材である為、どうしても雨濡れで天板が膨張したり反ったりする上、重量も重くなる。【０００５】  天板をプラスチックに変えた場合の問題点として、フレームに完全に固定すると、熱膨張によってフレーム固定箇所で膨張を拘束してしまう為、固定箇所、非固定箇所で天板が波打つという現象が起こり、天板単体では冷めた後完全に元に戻るが、完全固定状態では完全には元に戻らない。
【課題を解決するための手段】
【０００６】  以上の課題を解決するためには、問題を別々に対応する必要があり、１つは天板の中にフレームを嵌め込む事を特徴とする折り畳み机を作る事である。以下第一案と表現する。【０００７】  天板をプラスチックで作成することで軽量且つ雨濡れに強く出来る。以下第二案と表現する。【０００８】  プラスチック天板のフレームに対する取り付け方法を工夫する事で変形に対応する。以下第三案と表現する。
【考案の効果】
【０００９】  第一案では、折り畳み机の天板の中にフレームを嵌め込む事によって保管スペースを削減出来る。【００１０】  第二案では、プラスチック天板を作成することで、軽量且つ雨濡れに強く出来る。【００１１】  第三案では、プラスチック天板を完全にフレームと固定せず、天板の膨張、収縮を自由にすることで、天板が波打つといった現象が無くなり、且つ変形後も元に戻ろうとすることを阻害しない。
【考案を実施するための最良の形態】
【００１２】  以下、本考案の実施形態について、第一案では折り畳んだ状態でフレーム・脚・頬杖が天板の中に納まるように、各構成部材をフレームと同様の厚さとなるよう薄く造る。【００１３】  第二案では、プラスチック天板は割れ、重さ、接着、熱変形等を勘案し適切な厚みや材質の物を使用する。【００１４】  第三案では、従来完全にフレームに固着していた天板を、一部完全固定の上部分的にスライドするように取り付けるか、どこも固定せず完全にスライドするように取り付ける。【００１５】  第一案の形態について、まず図１に基づいて説明する。（ａ）は天板を裏面から見た図であるが、天板の折り返しに沿って丁度の大きさのフレームを作成することで、薄い天板自体の強度を補完し天板の中にフレームが嵌まり込む形で省スペース化出来る。【００１６】  図１（ｂ）が脚をつけた状態での断面図となり、図２で示す一般的机と比べ、厚さが半分以下となる。【００１７】  第三案の形態については、図１（ｃ）に基づいて説明する。天板１側に固定具６を取り付け、フレーム３側にピン５を取り付ける。固定具６に長穴を設け、長穴に通したピン５が天板の膨張、収縮に応じスライドする構造とする。
これにより熱変形時に大きな歪みが出ない上に、冷めた後は完全に元に戻り、且つ天板とフレームが上下に外れないプラスチック天板テーブルの作成が可能となる。
この目的を達するスライド式取り付け方法は多々あるので、ここでは一例を挙げているのみである。【００１８】  以上の形態によって、保管スペースを削減し軽量で雨にも強い折り畳み机を提供する事を可能とするものである。本考案は、その要旨を逸脱しない範囲で、当事者の創意と工夫により、適宜に改良、変更又は追加をしながら実施されるものである。
【図面の簡単な説明】
【００１９】
【図１】（ａ）は本考案を適用した机の裏面の全体図、（ｂ）はＡ−Ａ′断面図である。（ｃ）は（ａ）のＢ部分の拡大した物を２方向から見た図である。
【図２】一般的なテーブルの折り畳み時の厚み方向の図である。
【符号の説明】
【００１９】    １：天板
２：脚
３：フレーム本体
４：頬杖
５：ピン
６：固定具
【図１】
0003164537.tif 000003
【図２】
0003164537.tif 000004
【手続補正書】
【提出日】平成22年9月15日(2010.9.15)
【手続補正２】
【補正対象書類名】実用新案登録請求の範囲
【補正対象項目名】全文
【補正方法】変更
【補正の内容】
【実用新案登録請求の範囲】
【請求項１】
プラスチックで凹形に成型した天板の内側に金属フレームを収まるように作成し、脚をフレームの内側に９０度に回転するよう軸着し、フレームと脚それぞれの筋交に取り付けた頬杖も折り畳み時にフレームより薄くなるように作成し、天板の中に金属フレームを接着等により固着することで、天板の中に、全体を折り畳み状態で収納出来る事を特徴とする折り畳み机。
【請求項２】
フレームにピンを固着し、天板に長穴の開いた固定具を、前述ピンが長穴に入るよう固着することで、ピンが固定具内の穴を自由に移動出来る事で、天板とフレームが外れることが無く、プラスチック天板が熱で膨張しても、天板とフレームが固着されていない為に、天板を拘束しないことで変形を抑えることが可能な取り付け構造を特徴とする請求項１記載の折り畳み机。
(57)【要約】      （修正有）【課題】水切り用生ゴミ袋とシンクへの取付け方法が容易で吸着力が強い磁石式で且つ、不使用時にはシンク内の掃除が楽な可動式と一体化するゴミ袋ホルダーを提供する。【解決手段】上枠１と下枠２の四隅の磁石で水切り用生ゴミ袋を容易に取付け、且つ、両枠の支え３底部の磁石でシンク上面への取付け時間の短縮と吸着力を高め、更に両枠支え本体部の棒へ下枠の穴より上枠の穴を通すことにより、両枠（上枠、下枠）の可動を反対側へ１８０°自在にし、不使用時のシンク内の掃除の負担を軽減する。【選択図】図１
0003164535.tif 000002
【実用新案登録請求の範囲】
【請求項１】
両枠（上枠、下枠）の四隅の磁石で生ゴミ袋の取付けを可能にし、更に磁石で流し台の上面へ取付けを可能にした可動性水切り用生ゴミ袋ホルダー
【考案の詳細な説明】
【技術分野】
【０００１】  本考案は水切り用生ゴミ袋を両枠（上枠、下枠）の四隅の磁石で止めて使用し、且つ、磁石で流し台の上面へ取付けを可能にし、不使用時には１８０°可動のきく生ゴミ袋ホルダーに関するものである。
【背景技術】
【０００２】  従来の生ゴミ袋ホルダーにおいては、水切り用生ゴミ袋の取付け方法が両枠（上枠、下枠）の大小やリング等で押さえ込む方法の為、袋の着脱に時間を要し、且つ、シンクへの取付け方法が吸盤式の為、吸着力が弱く着脱へ時間と労力を要した。更には枠が固定式の為、シンク内の掃除の邪魔になるなど多くの問題がある。
【考案の開示】
【考案が解決しようとする課題】
【０００３】  そこで、本考案は上記従来の課題を解決するため、水切り用生ゴミ袋とシンクへの取付け方法が容易で吸着力が強い磁石式と且つ、不使用時にはシンク内の掃除が楽な可動式を一体化することにより、前述の問題点を解決しようとするものである。
【課題を解決するための手段】
【０００４】  本考案は上記目的を達成するために上枠（１）の下面側と下枠（２）の上面側の四隅へ磁石を設け、水切り用生ゴミ袋の取付けを容易にしたものである。【０００５】  又、第２の課題解決手段として、両枠支え本体部（８）の棒（９）へ下枠（２）の穴（７）から上枠（１）の穴（６）へ通し、更に下枠（２）の穴（７）へ通す構成により、上枠の開閉が可能となり、且つ、両枠（上枠、下枠）の可動を１８０°自在にすることにより問題点を解決している。
【考案の効果】
【０００６】  上述の様に、本考案の磁石式可動性生ゴミ袋ホルダーは、両枠支え底部の磁石でシンク上面への取付け時間を短縮し、且つ、吸着力を高め、更に不使用時には両枠（上枠、下枠）の可動が反対側へ１８０°可能の為、シンク内の掃除の負担の軽減へ供することができる。
【考案の実施するための最良の形態】
【０００７】  以下、実施例について図面を参照して説明する。
水切り用生ゴミ袋を上枠（１）の下面側の四隅の磁石（４）と下枠（２）の上面側の四隅の磁石（５）で取付けを可能にした。
【０００８】  両枠支え本体部（８）の棒（９）へ下枠（２）の穴（７）より上枠（１）の穴（６）へ通し、更に下枠（２）の穴（７）へ通すことにより、上枠の開閉を可能にし、且つ、両枠の可動を１８０°可能にした。
【０００９】  両枠支え本体部（８）の棒（９）の突起部（１０）と下部突起部（１１）を両枠支え補助部（１２）の上部取付け穴（１３）と下部取付け穴（１４）へ組み合わせることにより、本体部と補助部の固定を可能にした。
【００１０】  両枠支えの底部磁石（１５）によりシンク上面への取付けを可能にした。
【図面の簡単な説明】
【００１１】
【図１】  上枠を開けた状態の全体の斜視図である。
【図２】  全体の平面図である。
【図３】  上枠の首の部分の斜視図である。
【図４】  下枠の首の部分の斜視図である。
【図５】  両枠支え全体の斜視図である。
【図６】  両枠支え本体部の斜視図である。
【図７】  両枠支え補助部の斜視図である。
【符号の説明】
【００１２】  １−上枠、２−下枠、３−両枠の支え、４−上枠下面の磁石、５−下枠上面の磁石、６−上枠の穴、７−下枠の穴、８−両枠支えの本体部、９−棒、１０−棒の突起部、１１−下部の突起部、１２−両枠支えの補助部、１３−上部取付け穴  １４−下部取付け穴、１５−両枠支えの底部磁石
【図１】
0003164535.tif 000003
【図２】
0003164535.tif 000004
【図３】
0003164535.tif 000005
【図４】
0003164535.tif 000006
【図５】
0003164535.tif 000007
【図６】
0003164535.tif 000008
【図７】
0003164535.tif 000009
【手続補正書】
【提出日】平成22年9月11日(2010.9.11)
【手続補正１】
【補正対象書類名】実用新案登録請求の範囲
【補正対象項目名】請求項１
【補正方法】変更
【補正の内容】
【請求項１】
長方形の同サイズの上枠（１）と下枠（２）を両枠支え本体部（８）の棒（９）へ下枠の穴（７）から上枠の穴（６）へ通したうえ、下枠の穴（７）へ通す構造とし、更に両枠支え本体部（８）の棒（９）の突起部（１０）と下部の突起部（１１）を両枠支え補助部（１２）の上部取付け穴（１３）と下部取付け穴（１４）へ組み合わせて固定する構造により、上枠（１）の開閉を可能にし、前記、上枠（１）と下枠（２）の間に水切り用生ゴミ袋を上枠下面の四隅の磁石（４）と下枠上面の四隅の磁石（５）で取付け固定を可能とし、更に不使用時（シンク内の掃除等）には両枠（上枠、下枠）の可動を反対側へ１８０°可能にし、更に両枠支えの底部に強力な磁石（１５）を取付けることにより、シンク上面への取付けを可能としたことを特徴とする可動性水切り用生ゴミ袋ホルダーである。
(57)【要約】      （修正有）【課題】電池ホルダーの底部にレール式のスライド機構を設け、このスライドを伸縮させることによって、自由に使用本数を増減できるように収納幅を調節できる構造としたスライド式電池ホルダーを提供する。【解決手段】電池ホルダー本体１と電池ホルダー本体２からなる、スライド式電池ホルダーにおいて、本体１の底部は、中央から対象となる段差を設けた二面の分割形状であり、本体２の底部には、本体１の二面分割形状底部中央の幅にあった一面の段差形状を持つもので、本体１と本体２の底部を組み合わせることを特徴としてスライド式電池ホルダーを構成する。さらに、本体１及び本体２の底部に、角型乾電池の幅を示す表示ライン７を印刷することで、使用本数に合った取り付け位置が容易に特定できるようにしても良い。【選択図】図１
0003164540.tif 000002
【実用新案登録請求の範囲】
【請求項１】
００６Ｐ角型９Ｖ用の乾電池１５を収納するホルダー本体１と、ホルダー本体２で構成され、角型乾電池１５を寝かせて面積の少ない面を天地に向けた状態で複数本を横に並べ、ホルダー本体１と２で左右から挟む形で収納する。
両ホルダー本体の上部には電池おさえ４を設けてあり、両端の角型乾電池をしっかりと固定する。ホルダー本体１の底部には凹型形状のレール５が設けてあり、ホルダー本体２の底部には凸型形状のレール６が設けてある。この両ホルダーのレールを組み合わせてスライド機構を形成しているので、使用する角型乾電池の本数に合わせてスライド幅を調節し取り付ければ、必要な本数を自由に収納できることが可能な省スペース型の電池ホルダーとなる。
【請求項２】
このスライド式電池ホルダーを取り付けるには、ホルダー本体１とホルダー本体２に設けた３ケ所のネジ穴を使い皿ネジ又は皿木ネジを使用する。
その際に、乾電池の使用本数に合わせて取り付け位置が容易に特定できるよう、両ホルダーのスライド面に角型乾電池の幅を示す表示ライン７を印刷しておくことによって、取り付け位置を容易に特定でき作業時間の短縮と利便性を解決している。
【考案の詳細な説明】
【産業上の利用分野】
【０００１】本考案は、００６Ｐ角型９Ｖ用の乾電池ホルダーの技術に関する。
【背景技術】
【０００２】従来の乾電池ホルダーは、決められた本数の電池を収納することを想定した電池ホルダーであった。【０００３】現在市場に出ている９Ｖ用の角型乾電池ホルダーは単体用のホルダーしかなく、複数本の乾電池を使う場合は単体用の電池ホルダーを数個並べて使用する以外方法がなかった。【０００４】しかし単体用の電池ホルダーを数個並べて使用すると、広い電池収納場所が必要であり配線も煩雑になりがちであった。【０００５】また、９Ｖ用の角型乾電池ホルダーを、２個用、３個用、４個用と個別に生産するには、需要面を考えると採算が合わないという現状があった。
【考案の概要】
【考案が解決しようとする課題】上記のような背景をもとに、ひとつの乾電池ホルダーで複数本の角型乾電池を自由に設定し収納できる電池ホルダーを、いかに開発出来るかが課題であった。
【課題を解決するための手段】そこで、電池ホルダーの底部にレール式のスライド機構を設け、このスライドを伸縮させることによって、自由に角型乾電池の収納幅を調節できる構造とした。
【考案の効果】
【０００６】その結果、特定の本数を想定した電池ホルダーではなく、いつでも自由に乾電池の使用本数を変更することが可能な電池ホルダーとなり、電池の収納場所も最小限で可能となった。【０００７】理論的には、底部のスライド機構を長くすれば角型乾電池を５本でも１０本でも収納可能であるが、物理的にも限界があるので、電子工作や各種電気的実験において最も必要性の高い１８〜３６Ｖ（９Ｖの乾電池使用本数２〜４本）の電圧を使用することを前提に設計している。【０００８】電池ホルダーの材質としては、左右の板で乾電池を挟みこむ必要があるために、金属ではバネの性質を持つ燐青銅が最良だが、１．５Ｖの電池ホルダー等に使われているＡＢＳ樹脂やポリプロピレン樹脂などでも、耐熱性・絶縁性・強度的にも充分可能である。
【図面の簡単な説明】
【図１】スライド式電池ホルダーの伸縮の様子を示した斜視図である。
【図２】００６Ｐの角型乾電池を４本収納した様子を示した上面図である。
【図３】００６Ｐの角型乾電池を２本収納した様子を示した側面図である。
【図４】両電池ホルダーのレール式スライド機構を示した拡大断面図である。
【符号の説明】１−ホルダー本体
２−ホルダー本体
３−皿ビス用の取付けネジ穴
４−電池おさえ
５−ホルダー本体１のレール部
６−ホルダー本体２のレール部
７−角型乾電池幅の表示ライン
１５−００６Ｐ角型９Ｖ用乾電池
【図１】
0003164540.tif 000003
【図２】
0003164540.tif 000004
【図３】
0003164540.tif 000005
【図４】
0003164540.tif 000006
【手続補正書】
【提出日】平成22年9月10日(2010.9.10)
【手続補正１】
【補正対象書類名】実用新案登録請求の範囲
【補正対象項目名】全文
【補正方法】変更
【補正の内容】
【実用新案登録請求の範囲】
【請求項１】
電池ホルダー本体１と電池ホルダー本体２からなる、スライド式電池ホルダーにおいて、本体１の底部は、中央から対象となる段差を設けた二面の分割形状であり、本体２の底部には、本体１の二面分割形状底部中央の幅にあった一面の段差形状を持つもので、本体１と本体２の底部を組み合わせることを特徴とするスライド式電池ホルダー。
【請求項２】
電池ホルダー本体１及び電池ホルダー本体２の底部に、角型乾電池の幅を示す表示ライン７を印刷することで、使用本数に合った取り付け位置が容易に特定できることを特徴とする、請求項１に記載のスライド式電池ホルダー。
(57)【要約】      （修正有）【課題】ペーパーを片手で容易にカットできるトイレペーパーホルダーを提供する。【解決手段】本体と前記本体からのびる腕と、腕によって一端が支持されるペーパー支持棒とが一体になっているトイレペーパーホルダーにおいて、ペーパー支持棒は他端が水平方向から４５度の上方へ向かうように支持されている。【選択図】図１
0003164533.tif 000002
【実用新案登録請求の範囲】
【請求項１】
本体とそれから腕によって支持されているペーパー支持棒とが一体になっており、その棒は本体に対して４５度の角度をもって取り付けられている事を特徴とするトイレペーパーホルダー。
【考案の詳細な説明】
【技術分野】
【０００１】  巻紙脱着容易なトイレペーパーホルダーに関する物である。
【背景技術】
【０００２】従来のペーパーホルダーは紙の切断はカバーによって行って居るが、カバーが軽い為、紙がうまく切断出来ず、両手を使用する必要も往々生じている。
【先行技術文献】
【０００３】
【特許文献】
【特許文献】  １．特開平０５−３０９０５４（縦置き型）  ２．特開平１０−１４８１２（ロールカット）  ３．実関昭６０−８８８９２（ロールペーパー）
【考案の概要】
【考案が解決しようとする課題】
【０００４】本考案は、巻紙の脱着を非常に容易に出来、巻紙の切断も片手にて腕の不自由な方にでも容易に行う事が出来る様にした物です。
【課題を解決するための手段】
【０００５】本体とそれから腕により支持されているペーパー保持棒とが一体になり、その保持棒は本体に対して角度を持って取り付ける。
【図面の簡単な説明】
【０００６】
【図１】本考案のホルダーに巻紙を装着した
【図２】本考案の側面図
【図３】本考案の正面図（巻紙装着前）
【符号の説明】
【０００７】１．本体
２．腕
３，ペーパー保持棒
４．巻紙
【図１】
0003164533.tif 000003
【図２】
0003164533.tif 000004
【図３】
0003164533.tif 000005
【手続補正書】
【提出日】平成22年9月16日(2010.9.16)
【手続補正１】
【補正対象書類名】実用新案登録請求の範囲
【補正対象項目名】全文
【補正方法】変更
【補正の内容】
【実用新案登録請求の範囲】
【請求項１】
本体と前記本体からのびる腕と
前記腕によって一端が支持される
ペーパー支持棒とが一体になっている
トイレペーパーホルダーにおいて
前記ペーパー支持棒は他端が水平方向から
４５度の上方へ向かうように支持されている
トイレペーパーホルダー。
(57)【要約】      （修正有）【課題】女性が医学診断用のために必要とされる尿検査の際、採尿時に使用する尿検査コップから尿の散逸を防ぎ、コップを所持する手指等に尿の付着を防護することを目的とし、男性用としても使用することができる検尿コップの保持具を提供する。【解決手段】医学診断のための尿検査に用いられる尿検査のコップを保持する保持部１と保持部から延接把持する把持部２とを少なくとも備えたことを特徴とする検尿コップの保持具である。【選択図】図１
0003164553.tif 000002
【実用新案登録請求の範囲】
【請求項１】
医学診断のための尿検査に用いられる尿検査のコップを保持する保持部（１）と保持部から延接把持する把持部（２）とを少なくとも備えたことを特徴とする検尿コップの保持具。
【請求項２】
把持部は可撓性を有することを特徴とする請求項1記載の検尿コップ保持具。
【考案の詳細な説明】
【技術分野】
【０００１】
本考案は女性が医学診断用のために必要とされる尿検査の際、採尿時に使用する尿検査コップから尿の散逸を防ぎ、コップを所持する手指等に尿の付着を防護することを目的とし、男性用としても使用することができる検尿コップの保持具に関するものである。
【背景技術】
【０００２】
従来の尿検査は、コップを手に持ち採尿していた。
【０００３】
女性が尿検査コップを用いて採尿する際、女性は男性と異なり尿道が会陰の中にあり、特に洋式トイレにおいては上手に採尿コップを当てないと、尿が飛散する等で、コップを持つ手に尿が付着するなど問題点があった。
【先行技術文献】
【特許文献】
【０００４】
【特許文献１】特開平１０−１０４２２７号公報
【考案の概要】
【考案が解決しようとする課題】
【０００５】
前記従来の採尿では、女性が尿検査コップを用いて採尿する際、うまく採尿できず度々尿が飛散する問題点があった。
【０００６】
その結果、コップを所持している手指等に尿が付着し、衛生上考慮すべき問題点もあった。
【課題を解決するための手段】
【０００７】
本考案は、医学診断のための尿検査に用いられる尿検査のコップを保持する保持部（１）と保持部から延接把持する把持部（２）とを少なくとも備えたことを特徴とする検尿コップの保持具により、問題を解決したものである。
【考案の効果】
【０００８】
本考案の検尿コップの保持具は、医学診断のための尿検査に用いられる尿検査のコップを保持する保持部（１）と保持部から延接把持する把持部（２）とを少なくとも備えたことを特徴とするものであるから、特に女性の方においては尿道の位置からみてコップへの採尿は必ずしも容易な作業ではないが、尿の飛散、コップを所持する手指等の尿汚染等の問題点を解決することができるという効果がある。又、男性においても半身麻痺のある方等が通常の方法（片手で外性器を持ち、他手でコップの所持）では困難であるが、この検尿コップの保持具により、問題点を解決できるという効果があり、女性男性両用とした検尿コップの保持具として使用できる。
更に、本考案品は水道水の洗浄で清潔が保つことができる。
【図面の簡単な説明】
【０００９】
【図１】図１は本考案の正面図である。
【図２】図２は本考案の側面図である。
【考案を実施するための形態】
【００１０】
考案の実施の形態を実施例にもとづき図面を参照して説明する。
図１において検尿用のコップを保持する保持部（１）は複数個のリングで構成されていて、下部から上方に向かうにしたがって径大に形成されており、検尿コップ（ｃ）を着脱自由に保持できるようになっている。保持部（１）からは把持する把持部（２）が延設されており、把持部（２）の先端には環状の引っ掛け部（３）が形成されている。
【００１１】
保持部（１）と把持部（２）とは針金のようなもので構成されていても構わないし、プラスチックで一体的に形成されていても構わない。
【００１２】
把持部（２）は可撓性を有していて人に応じて把持部（２）の角度を変えて使用することもでき使い勝手が良い。
【符号の説明】
【００１３】
（１）保持部
（２）把持部
（３）引っ掛け部
（Ｃ）検尿コップ
【図１】
0003164553.tif 000003
【図２】
0003164553.tif 000004
【手続補正書】
【提出日】平成22年9月30日(2010.9.30)
【手続補正１】
【補正対象書類名】明細書
【補正対象項目名】０００７
【補正方法】変更
【補正の内容】
【０００７】
本考案は、医学診断のための尿検査に用いられる尿検査のコップを保持する保持部（１）と保持部から延設把持する把持部（２）とを少なくとも備えた検尿コップの保持具であって、上記保持部（１）は上記コップの外形形状に対応して下部から上方に向かうに従って径大に形成されたリングであり、上記保持部（１）の上端部から手で把持する把持部（２）が上記保持部（１）の側方に延設されていることを特徴とする検尿コップの保持具により、問題を解決したものである。
【手続補正２】
【補正対象書類名】明細書
【補正対象項目名】０００８
【補正方法】変更
【補正の内容】
【０００８】
本考案の検尿コップの保持具は、医学診断のための尿検査に用いられる尿検査のコップを保持する保持部（１）と保持部から延設把持する把持部（２）とを少なくとも備えた検尿コップの保持具であって、上記保持部（１）は上記コップの外形形状に対応して下部から上方に向かうに従って径大に形成されたリングであり、上記保持部（１）の上端部から手で把持する把持部（２）が上記保持部（１）の側方に延設されていることを特徴とするものであるから、特に女性の方においては尿道の位置からみてコップへの採尿は必ずしも容易な作業ではないが、尿の飛散、コップを所持する手指等の尿汚染等の問題点を解決することができるという効果がある。又、男性においても半身麻痺のある方等が通常の方法（片手で外性器を持ち、他手でコップの所持）では困難であるが、この検尿コップの保持具により、問題点を解決できるという効果があり、女性男性両用とした検尿コップの保持具として使用できる。
更に、本考案品は水道水の洗浄で清潔が保つことができる。
【手続補正３】
【補正対象書類名】実用新案登録請求の範囲
【補正対象項目名】請求項１
【補正方法】変更
【補正の内容】
【請求項１】
医学診断のための尿検査に用いられる尿検査のコップを保持する保持部（１）と保持部から延設把持する把持部（２）とを少なくとも備えた検尿コップの保持具であって、上記保持部（１）は上記コップの外形形状に対応して下部から上方に向かうに従って径大に形成されたリングであり、上記保持部（１）の上端部から手で把持する把持部（２）が上記保持部（１）の側方に延設されていることを特徴とする検尿コップの保持具。